(57)【要約】【課題】ストラップの太さとは無関係に、ストラップを有する作業用物品のストラップを保持させやすいストラップ保持部材を備える作業用衣服を提供すること。【解決手段】丈方向Ｌを有し、袖ぐり部５を有する本体部３と、袖ぐり部５に連結されている袖部７とを備える作業用衣服１であって、作業用衣服１が、本体部３に、袖ぐり部５の下方に配置された袖下部１３を備え、作業用衣服１が、ストラップ５５を有する作業用物品５１のストラップ５５を保持するためのストラップ保持部材６１を、少なくともその一部が袖下部１３に存在するように備え、ストラップ保持部材６１が、丈方向Ｌと交差する方向に開閉可能であることを特徴とする作業用衣服１。【選択図】図１
2019105016.tif 000002
【特許請求の範囲】
【請求項１】
丈方向を有し、袖ぐり部を有する本体部と、前記袖ぐり部に連結されている袖部とを備える作業用衣服であって、
前記作業用衣服が、前記本体部に、前記袖ぐり部の下方に配置された袖下部を備え、
前記作業用衣服が、ストラップを有する作業用物品の前記ストラップを保持するためのストラップ保持部材を、少なくともその一部が前記袖下部に存在するように備え、
前記ストラップ保持部材が、前記丈方向と交差する方向に開閉可能である、
ことを特徴とする、前記作業用衣服。
【請求項２】
前記袖下部が、腹側袖下部と、背側袖下部とに区画され、前記ストラップ保持部材が、少なくともその一部が前記腹側袖下部に存在するように配置されている、請求項１に記載の作業用衣服。
【請求項３】
前記作業用衣服が、前記袖下部に少なくともその一部が存在するように配置されたポケット部をさらに備え、前記ストラップ保持部材が、前記ポケット部に配置されている、請求項１又は２に記載の作業用衣服。
【請求項４】
前記ポケット部が外面及び内面を備え、前記ストラップ保持部材が、前記ポケット部の前記外面に配置されている、請求項３に記載の作業用衣服。
【請求項５】
前記ストラップ保持部材が、前記本体部に固定された基部と、前記作業用物品を保持する保持部とを備え、前記保持部が、前記基部に、開閉可能な連結部と、開閉不可能な連結部とにより固定されており、前記開閉不可能な連結部が、一体である前記基部及び保持部とから構成されるループ部である、請求項１〜４のいずれか一項に記載の作業用衣服。
【請求項６】
前記開閉可能な連結部が、スナップである、請求項５に記載の作業用衣服。
【請求項７】
前記ポケット部がポケット口を備え、前記ストラップ保持部材が、前記ポケット口から、前記ポケット部の５０％の深さまでの範囲に配置されている、請求項６に記載の作業用衣服。
【請求項８】
前記ストラップ保持部材が、前記ポケット口に配置されている、請求項７に記載の作業用衣服。
【請求項９】
前記開閉可能な連結部が、前記作業用衣服の丈方向軸線に近い近位側連結部であり、前記開閉不可能な連結部が、前記丈方向軸線から遠い遠位側連結部であり、前記近位側連結部が、前記遠位側連結部よりも高い位置に配置されている、請求項５〜８のいずれか一項に記載の作業用衣服。
【請求項１０】
前記作業用衣服が、前記ストラップ保持部材よりも低い位置に配置された、前記作業用物品を収納することができる収納用ポケット部をさらに備える、請求項１〜９のいずれか一項に記載の作業用衣服。
【請求項１１】
前記作業用衣服が、医療業従事者用、看護業従事者用、介護業従事者用、エステ業従事者用、清掃業従事者用、又は飲食業従事者用である、請求項１〜１０のいずれか一項に記載の作業用衣服。
【発明の詳細な説明】
【技術分野】
【０００１】
本開示は、作業用衣服に関する。
【背景技術】
【０００２】
作業用衣服、例えば、看護業従事者用衣服は、種々の観点から、改良が行われている。
例えば、特許文献１及び特許文献２には、丈方向に沿って配置されたループを備える作業用上衣が開示されている。特許文献１及び特許文献２によると、使用者は、ループ内に指を挿入し、係止片をあけて係止片とループの間にカード等をぶら下げた首掛け紐をセットし、次に係止片を閉めることにより、適宜、前ポケット、上ポケット及び後ポケットにカードを収納することができるとされている。
【先行技術文献】
【特許文献】
【０００３】
【特許文献１】意匠登録第１５７４２２４号公報
【特許文献２】意匠登録第１５７４４４３号公報
【発明の概要】
【発明が解決しようとする課題】
【０００４】
特許文献１及び特許文献２に記載される作業用上衣では、ループが丈方向に沿って配置されているため、軽く、細いストラップ（例えば、ネックストライプ）を有するもの、例えば、カード等を保持する場合には問題が生じにくいが、重く、太いストラップ（例えば、ショルダーストラップ）を有するもの、例えば、消毒液の入ったボトル等を保持しにくいことが分かった。
従って、本開示は、ストラップの太さとは無関係に、ストラップを有する作業用物品のストラップを保持させやすいストラップ保持部材を備える作業用衣服を提供することを目的とする。
【課題を解決するための手段】
【０００５】
本開示者らは、丈方向を有し、袖ぐり部を有する本体部と、上記袖ぐり部に連結されている袖部とを備える作業用衣服であって、上記作業用衣服が、上記本体部に、上記袖ぐり部の下方に配置された袖下部を備え、上記作業用衣服が、ストラップを有する作業用物品の上記ストラップを保持するためのストラップ保持部材を、少なくともその一部が上記袖下部に存在するように備え、上記ストラップ保持部材が、上記丈方向と交差する方向に開閉可能であることを特徴とする作業用衣服を見出した。
【発明の効果】
【０００６】
本開示の作業用衣服は、ストラップの太さとは無関係に、ストラップを有する作業用物品のストラップを、ストラップ保持部材に保持させやすい。
【図面の簡単な説明】
【０００７】
【図１】図１は、着用状態の作業用衣服１の右前方を示す図である。
【図２】図２は、着用状態の作業用衣服１の左後方を示す図である。
【図３】図３は、ストラップ保持部材６１近傍における作業用衣服１の拡大図である。
【図４】図４は、作業用物品５１を保持した状態における、着用状態の作業用衣服１の右前方を示す図である。
【図５】図５は、作業用物品５１を保持した状態における、着用状態の作業用衣服１の左後方を示す図である。
【図６】図６は、作業用物品５１の使い方を示す図である。
【図７】図７は、作業用物品５１の使い方を示す図である。
【図８】図８は、ストラップ保持部材６１の追加の使い方を説明するための図である。
【発明を実施するための形態】
【０００８】
［定義］
・「丈方向」及び「水平方向」
本開示において、「丈方向」は、本開示の作業用衣服を着用する着用者が、本開示の作業用衣服を着用した際の、着用者の丈方向を意味し、鉛直方向と同義である。本開示において、「水平方向」は、上記丈方向と直交する方向を意味する。
・「下方」
本開示において、「下方」は、丈方向における下方を意味する。
【０００９】
・「高さ」
本開示において、「高さ」は、上記丈方向の位置を意味する。
・「高い」及び「低い」
本開示において、対象物が、比較対象物よりも「高い」ことは、対象物が、比較対象物よりも、丈方向の位置が上であることを意味する。同様に、対象物が、比較対象物よりも「低い」ことは、対象物が、比較対象物よりも、丈方向の位置が下にあることを意味する。
【００１０】
・「腹（腹側）」及び「背（背側）」、並びに「右（右側）」及び「左（左側）」
本開示において、「腹（腹側）」及び「背（背側）」、並びに「右（右側）」及び「左（左側）」は、着用者を基準とする。
【００１１】
具体的には、本開示は以下の態様に関する。
［態様１］
丈方向を有し、袖ぐり部を有する本体部と、上記袖ぐり部に連結されている袖部とを備える作業用衣服であって、
上記作業用衣服が、上記本体部に、上記袖ぐり部の下方に配置された袖下部を備え、
上記作業用衣服が、ストラップを有する作業用物品の上記ストラップを保持するためのストラップ保持部材を、少なくともその一部が上記袖下部に存在するように備え、
上記ストラップ保持部材が、上記丈方向と交差する方向に開閉可能である、
ことを特徴とする、上記作業用衣服。
【００１２】
上記作業用衣服は、所定の方向に開閉可能なストラップ保持部材を所定の位置に備えるため、細いストラップを有する作業用物品の細いストラップのみならず、太いストラップを有する作業用物品の太いストラップの保持性に優れる。また、上記作業用衣服は、ストラップ保持部材にストラップを保持させたまま、作業用物品を使用しやすい。
【００１３】
［態様２］
上記袖下部が、腹側袖下部と、背側袖下部とに区画され、上記ストラップ保持部材が、少なくともその一部が上記腹側袖下部に存在するように配置されている、態様１に記載の作業用衣服。
【００１４】
上記作業用衣服では、ストラップ保持部材の少なくとも一部が腹側袖下部に配置されているため、ストラップ保持部材にストラップを保持させたまま、着用者が作業用物品を使用しやすい。
【００１５】
［態様３］
上記作業用衣服が、上記袖下部に少なくともその一部が存在するように配置されたポケット部をさらに備え、上記ストラップ保持部材が、上記ポケット部に配置されている、態様１又は２に記載の作業用衣服。
【００１６】
上記作業用衣服では、ストラップ保持部材がポケット部に配置されているため、ストラップ保持部材がポケット部以外の場所に配置されている場合と比較して、ポケット部、ひいてはポケット部に配置されたストラップ保持部材が動きやすいため、着用者が、作業中に、ストラップに引きつられ感を覚えにくい。
【００１７】
［態様４］
上記ポケット部が外面及び内面を備え、上記ストラップ保持部材が、上記ポケット部の上記外面に配置されている、態様３に記載の作業用衣服。
【００１８】
上記作業用衣服では、ストラップ保持部材がポケット部の外面に配置されているため、ストラップ保持部材にストラップを保持させたまま、着用者が作業用物品を使用しやすい。
【００１９】
［態様５］
上記ストラップ保持部材が、上記本体部に固定された基部と、上記作業用物品を保持する保持部とを備え、上記保持部が、上記基部に、開閉可能な連結部と、開閉不可能な連結部とにより固定されており、上記開閉不可能な連結部が、一体である上記基部及び保持部とから構成されるループ部である、態様１〜４のいずれか一項に記載の作業用衣服。
【００２０】
上記作業用衣服では、開閉不可能な連結部が、一体である基部及び保持部とから構成されるループ部であるため、基部と、保持部とが離間しやすく、ストラップ保持部材に、ストラップを保持させやすい。また、ストラップ保持部材の製造性に優れる。
【００２１】
［態様６］
上記開閉可能な連結部が、スナップである、態様５に記載の作業用衣服。
上記作業用衣服では、開閉可能な連結部がスナップであるため、着用者が、ポケット部の外側及び内側から、スナップに手を添え、スナップを開閉することができるため、着用者が痛みを覚えにくい。
【００２２】
［態様７］
上記ポケット部がポケット口を備え、上記ストラップ保持部材が、上記ポケット口から、上記ポケット部の５０％の深さまでの範囲に配置されている、態様６に記載の作業用衣服。
【００２３】
上記作業用衣服では、ストラップ保持部材が、所定の位置に配置されているため、着用者が、ポケット部の外側及び内側から、片手でスナップを挟み、片手でスナップを開閉することができる。
【００２４】
［態様８］
上記ストラップ保持部材が、上記ポケット口に配置されている、態様７に記載の作業用衣服。
【００２５】
上記作業用衣服では、ストラップ保持部材がポケット口に配置されているため、ストラップ保持部材が保持している作業用物品を、ポケット口を備えるポケット部に収納しやすい。また、ポケット口、ひいてはポケット口に配置されたストラップ保持部材が動きやすいため、着用者が、作業中に、ストラップに引きつられ感を覚えにくい。
【００２６】
［態様９］
上記開閉可能な連結部が、上記作業用衣服の丈方向軸線に近い近位側連結部であり、上記開閉不可能な連結部が、上記丈方向軸線から遠い遠位側連結部であり、上記近位側連結部が、上記遠位側連結部よりも高い位置に配置されている、態様５〜８のいずれか一項に記載の作業用衣服。
【００２７】
上記作業用衣服では、近位側連結部が、遠位側連結部よりも高い位置に配置されているため、ストラップ保持部材を、ストラップを有しない作業用物品、例えば、テープ、駆血帯等を保持するために使用することができるとともに、近位側連結部を開閉した際に、それらが落下しにくい。
【００２８】
［態様１０］
上記作業用衣服が、上記ストラップ保持部材よりも低い位置に配置された、上記作業用物品を収納することができる収納用ポケット部をさらに備える、態様１〜９のいずれか一項に記載の作業用衣服。
【００２９】
上記作業用衣服は、所定の収納用ポケット部をさらに備えるため、着用者の作業中に、収納された作業用物品が、作業対象生物及び／又は作業対象物に触れにくい。例えば、作業用衣服が看護業従事者用衣服である場合には、看護者が患者の看護中に、収納された作業用物品が患者に触れにくい。
【００３０】
［態様１１］
上記作業用衣服が、医療業従事者用、看護業従事者用、介護業従事者用、エステ業従事者用、清掃業従事者用、又は飲食業従事者用である、態様１〜１０のいずれか一項に記載の作業用衣服。
【００３１】
上記作業用衣服は、特定の作業用であることから、それらの作業対象生物及び／又は作業対象物に、作業用物品が接触しにくい。
【００３２】
本開示の作業用衣服について、以下、詳細に説明する。
図１〜図８は、本開示の実施形態の１つ（以下、「第１実施形態」と称する）に従う作業用衣服１、具体的には、看護業従事者用衣服を説明するための図である。具体的には、図１及び図２は、着用状態の作業用衣服１の、それぞれ、右前方及び左後方を示す図である。図３は、ストラップ保持部材６１近傍における作業用衣服１の拡大図である。図４及び図５は、着用状態において、作業用物品５１を保持した状態における、作業用衣服１の、それぞれ、右前方及び左後方を示す図である。図６及び図７は、作業用物品５１の使い方を示す図である。図８は、ストラップ保持部材６１の追加の使い方を説明するための図である。
【００３３】
はじめに、図１〜図３を用いて、第１実施形態に従う作業用衣服１の後性を説明する。
第１実施形態に従う作業用衣服１は、丈方向Ｌと、丈方向Ｌと直交する水平方向Ｈとを有する。また、作業用衣服１は、袖ぐり部５（右袖ぐり部５Ｒ及び左袖ぐり部５Ｌ）を有する本体部３と、袖ぐり部５に連結されている袖部７（右袖部７Ｒ及び左袖部７Ｌ）とを備える。
なお、右袖部７Ｒは、右袖ぐり部５Ｒに連結されており、そして左袖部７Ｌは、左袖ぐり部５Ｌに連結されている。
【００３４】
作業用衣服１において、本体部３は、袖ぐり部５（右袖ぐり部５Ｒ及び左袖ぐり部５Ｌ）の下方に配置された袖下部１３（右袖下部１５及び左袖下部１７）と、腹部１９と、背部２１とに区画される。なお、右袖下部１５は、右袖ぐり部５Ｒの下方に配置されており、そして左袖下部１７は、左袖ぐり部５Ｌの下方に配置されている。また、腹部１９は、右側腹部１９Ｒと、左側腹部１９Ｌとに区画され、そして背部２１は、右側背部２１Ｒと、左側背部２１Ｌとに区画される。
【００３５】
袖下部１３は、腹側袖下部と、背側袖下部とに区画される。具体的には、右袖下部１５は、腹側に配置される腹側右袖下部１５ａと、背側に配置される背側右袖下部１５ｂとに区画され、そして左袖下部１７は、腹側に配置される腹側左袖下部１７ａと、背側に配置される背側左袖下部１７ｂとに区画される。
【００３６】
作業用衣服１の本体部３は、丈方向Ｌにおいて、右側の胸部に配置された、右胸ポケット部３１と、右のウエスト部に配置された右ウエストポケット部３３と、右の腰部に配置された、右腰ポケット部４５とを備える。右胸ポケット部３１は、貼り付け型のポケット部であり、右ウエストポケット部３３は、切り込み型のポケット部であり、そして右腰ポケット部４５は、貼り付け型のポケット部である。
【００３７】
右胸ポケット部３１は、水平方向Ｈにおいて、右側腹部１９Ｒに配置されており、右ウエストポケット部３３は、水平方向Ｈにおいて、右袖下部１５から右側腹部１９Ｒにかけて配置されており、そして右腰ポケット部４５は、水平方向Ｈにおいて、右袖下部１５から右側腹部１９Ｒにかけて配置されている。
【００３８】
右ウエストポケット部３３は、右胸ポケット部３１よりも低い位置に配置されており、そして右腰ポケット部４５よりも高い位置に配置されている。右腰ポケット部４５は、作業用物品５１を収納する収納用ポケット部としても機能している。
【００３９】
右ウエストポケット部３３は、切り込み型のポケット部であり、ポケット口３５と、ポケット底３９を有する袋布部３７とから構成されている。また、右ウエストポケット部３３は、袋布部３７の、丈方向Ｌの最も下方の位置に配置されたポケット底３９と、袋布部３７から構成され且つ右ウエストポケット部３３に収納する物品と接する内面４１と、袋布部３７の内面４１と対向し且つ外部に露出している外面４３とを有する。
【００４０】
作業用衣服１の本体部３は、丈方向Ｌにおいて、左側の胸部に配置された、左胸ポケット部４７と、左側の腰部に配置された、左腰ポケット部４９（図７に示される）とを備える。左胸ポケット部は、水平方向Ｈにおいて、左側腹部１９Ｌに配置されており、そして左腰ポケット部４９は、水平方向Ｈにおいて、左袖下部１７から左側腹部１９Ｌにかけて配置されている。左胸ポケット部４７は、切り込み型のポケット部であり、そして左腰ポケット部４９は、貼り付け型のポケット部である。
【００４１】
作業用衣服１は、ショルダーストラップ５５を有する作業用物品５１のショルダーストラップ５５を保持するためのストラップ保持部材６１を、水平方向Ｈにおいて、右袖下部１５から右側腹部１９Ｒにかけて備える。また、ストラップ保持部材６１は、丈方向Ｌにおいて、右側のウエスト部、具体的には、右ウエストポケット部３３、より具体的には、右ウエストポケット部３３のポケット口３５の外面４３に配置されている。
【００４２】
ストラップ保持部材６１は、本体部３に固定されている帯状の基部６３と、作業用物品５１を保持する帯状の保持部６５とを備え、帯状の保持部６５が、２つの連結部、すなわち、作業用衣服１の丈方向軸線（図示せず）に近い近位側連結部６７と、丈方向軸線（図示せず）から遠い遠位側連結部６９により、帯状の基部６３に連結されている。
【００４３】
近位側連結部６７は、開閉可能なスナップにより構成されており、そして遠位側連結部６９は、帯状の基部６３及び帯状の保持部６５を一体に形成することにより構成されている。ストラップ保持部材６１は、ループ状に形成されている。
【００４４】
ストラップ保持部材６１の、近位側連結部６７と、遠位側連結部６９とは、丈方向の高さが略同一であり、ストラップ保持部材６１は、概ね、水平方向Ｈに開閉することができる。より詳細には、ストラップ保持部材６１の近位側連結部６７が、遠位側連結部６９よりも若干高い位置に配置されており、ストラップ保持部材６１を斜め上方に開閉することができる。
【００４５】
次に、図４〜図７を用いて、第１実施形態に従う作業用衣服１の使い方を説明する。
図４及び図５に示されるように、着用者は、物品本体部５３及びショルダーストラップ５５を有する作業用物品５１、具体的には、消毒液ボトルホルダーのショルダーストラップ５５を左肩にかけ、左肩にかけたショルダーストラップ５５の一方のストラップ部分を腹側に回し、そして他方のストラップ部分を背側に回し、腹側に回したショルダーストラップ５５のストラップ部分を、右ウエストポケット部３３のポケット口３５の外面４３に配置されたストラップ保持部材６１で保持する。なお、作業用物品５１には、ポンプ式の消毒液ボトル１０１が入れられている。
【００４６】
ストラップ保持部材６１は、近位側連結部６７を構成するスナップを開け、帯状の基部６３と、帯状の保持部６５との間にショルダーストラップ５５を通し、スナップを閉じることにより、ショルダーストラップ５５を保持することができる。ストラップ保持部材６１は、右ウエストポケット部３３のポケット口３５に配置されているため、片手、例えば、親指と人差し指とでスナップを閉じることができるため、スナップを閉じるために、スナップを着用者の体に押しつける必要がなく、着用者が痛みを覚えにくい。
【００４７】
なお、着用者は、作業用物品５１を、フリーの状態で保持することができる。すなわち、ショルダーストラップ５５を、着用者の左肩で保持するとともに、ショルダーストラップ５５をストラップ保持部材６１で保持するが、作業用物品５１の物品本体部５３をフリーにして、作業用物品５１を保持することができる。また、着用者は、作業用物品５１を固定した状態で保持してもよい。すなわち、ショルダーストラップ５５を、着用者の左肩と、ストラップ保持部材６１とで保持するとともに、作業用物品５１の物品本体部５３を、収納用ポケット部としても機能しうる右腰ポケット部４５に収納することにより、作業用物品５１を保持することができる。
【００４８】
図６に示されるように、着用者は、作業用物品５１（具体的には、消毒液ボトルホルダー）の物品本体部５３の底５６を右手で把持し、作業用物品５１の物品本体部５３を腹側に移動させ、図７に示されるように、右手で消毒液ボトル１０１のポンプ部５７を押し込むとともに、左手で押し出された消毒液を受け、次いで、例えば、着用者の両手を消毒することができる。
なお、作業用物品５１を使用しない場合には、ストラップ保持部材６１が、作業用物品５１を保持しているため、例えば、着用者が、作業中に前屈みになった場合であっても、作業用物品５１が、患者等にぶつかりにくい。
【００４９】
また、作業用物品５１の物品本体部５３を、収納用ポケット部として機能しうる右腰ポケット部４５に収納した場合も、図６及び図７に示されるものと同様に作業用物品５１を使用することができ、例えば、着用者が、作業中に前屈みになった場合であっても、作業用物品５１が、患者等にぶつかりにくくなる。
【００５０】
図８に示されるように、ストラップ保持部材６１は、ストラップを有する作業用物品に加え、ストラップを有しない作業用物品であって、ストラップ保持部材６１の保持部６５に通すことができるもの、例えば、駆血帯１０３、テープ１０５等を保持することができる。例えば、駆血帯１０３は、その縛りをほどくことにより、ストラップ保持部材６１の保持部６５から外して使用することができ、そしてテープ１０５は、ストラップ保持部材６１の保持部６５に通したまま使用することができる。
【００５１】
第１実施形態では、ストラップ保持部材６１は、帯状の基部６３と、帯状の保持部６５と、近位側連結部６７と、遠位側連結部６９とから構成されていたが、本開示の作業用衣服では、ストラップ保持部材は、保持部と、近位側連結部と、遠位側連結部とから少なくとも構成され、基部は必ずしも必要ではない。
なお、近位側連結部は、遠位側連結部よりも作業用衣服の丈方向軸線に近い位置に配置される連結部であり、そして遠位側連結部は、近位側連結部よりも作業用衣服の丈方向軸線から遠い位置に配置されている連結部である。
【００５２】
本開示の別の実施形態に従う作業用衣服では、ストラップ保持部材が、保持部と、近位側連結部と、遠位側連結部とから構成され、保持部が、近位側連結部及び遠位側連結部において、作業用衣服、例えば、ポケット部に連結されている。
【００５３】
本開示の作業用衣服では、ストラップ保持部材は、ストラップ保持部材を丈方向と交差する方向に開閉可能であるように配置されており、水平方向と、好ましくは４５°以下、より好ましくは３０°以下、そしてさらに好ましくは１５°以下の角度で開閉可能であるように配置される。そうすることにより、細いストラップのみならず、太いストラップを有する作業用物品の太いストラップの保持性に優れる。
【００５４】
本開示の作業用衣服において、近位側連結部が開閉可能な連結部である場合は、ストラップ保持部材は、ストラップ保持部材の近位側連結部が、遠位側連結部よりも高い位置に配置されていることが好ましい。そうすることにより、ストラップ保持部材を、ストラップを有しない作業用物品、例えば、テープ、駆血帯等を保持するために使用することができるとともに、近位側連結部を開閉した際に、それらが落下しにくい。
【００５５】
本開示の作業用衣服において、ストラップ保持部材の近位側連結部及び遠位側連結部は、一方が開閉可能な連結部であり且つ他方が開閉不可能な連結部であるか、又は両方が開閉可能な連結部であってもよい。
【００５６】
本開示の作業用衣服では、少なくとも近位側連結部が開閉可能であることが好ましい。使いやすさの観点からである。
上記開閉可能な連結部としては、例えば、面ファスナー（例えば、鉤状、きのこ状、錨状の突起が形成されたフック部と、表面に複数のループが配置されたループ部との組み合わせ）、スナップ（例えば、スナップボタン、スナップリング、アメリカンスナップ）、ホック（例えば、バネホック、ジャンパーホック）、トッグル、バックル、ボタン及びボタンホールの組み合わせ等が挙げられる。
【００５７】
上記開閉不可能な連結部としては、縫合部、接着部、ループ部等であることができる。例えば、ストラップ保持部材が、作業用物品を保持する保持部を備えるが、作業用衣服の本体部に固定される基部を備えない場合には、上記開閉不可能な連結部としては、保持部と、作業用衣服の本体部の資材との間の縫合部、接着部等であることができる。
【００５８】
また、ストラップ保持部材が、作業用衣服の本体部に固定される基部と、作業用物品を保持する保持部とを備える場合には、上記開閉不可能な連結部としては、分離された基部及び保持部の間の縫合部、接着部等であるか、又は一体である基部及び保持部の間のループ部であることができる。
【００５９】
本開示の作業用衣服では、ストラップ保持部材は、丈方向において、胸部、ウエスト部又は腰部に配置されることができ、ウエスト部又は腰部に配置されることが好ましい。使いやすさの観点からである。
【００６０】
本開示の作業用衣服では、ストラップ保持部材は、水平方向において、作業用衣服の本体部の袖下部に少なくともその一部が存在するように配置され、作業用衣服の本体部の腹側袖下部に少なくともその一部が存在するように配置されることが好ましい。そうすることにより、ストラップ保持部材にストラップを保持させたまま、着用者が作業用物品を使用しやすくなる。
本開示の作業用衣服では、ストラップ保持部材は、水平方向において、作業用衣服の本体部の、例えば、袖下部内に配置されることができ、袖下部及び腹部内に配置されることができる。
【００６１】
第１実施形態に従う作業用衣服１では、ストラップ保持部材６１は、作業用衣服１の本体部３の右側に配置されていたが、本開示の作業用衣服では、ストラップ保持部材は、作業用衣服の本体部の右側及び左側のいずれか一方又は両方に配置されることができる。作業用物品の種類、着用者の利き腕等によって、適宜決定されうる。
【００６２】
本開示の作業用衣服では、ストラップ保持部材は、作業用衣服の本体部の任意の位置に配置されることができ、例えば、ポケット部に配置されることができる。そうすることにより、ストラップ保持部材がポケット部以外の場所に配置されている場合と比較して、ポケット部、並びにポケット部に配置されたストラップ保持部材が、作業用物品の動きに合わせて動きやすいため、着用者が、作業中に、ストラップに引きつられ感を覚えにくい。
【００６３】
本開示の作業用衣服において、ストラップ保持部材が、ポケット口及びポケット底を備えるポケット部に配置されている場合には、ストラップ保持部材は、好ましくはポケット部のポケット口からポケット部の５０％の深さまでの範囲、より好ましくはポケット部のポケット口からポケット部の３０％の深さまでの範囲、そしてさらに好ましくはポケット部のポケット口からポケット部の１０％の深さまでの範囲に配置されている。そうすることにより、着用者が、ポケット部の外側及び内側から、片手でスナップを挟み、片手でスナップを開閉することができる。
なお、本明細書では、ポケット部の深さとは、ポケット口のうち最も高い部分の高さと、ポケット底のうち最も低い部分の高さとの差を意味する。
【００６４】
本開示の作業用衣服において、ストラップ保持部材が、ポケット口及びポケット底を備えるポケット部に配置されている場合には、ストラップ保持部材は、ポケット口に配置されていることが好ましく、そしてポケット口の端縁に接するように配置されていることが好ましい。そうすることにより、ストラップ保持部材が保持している作業用物品を、そのポケット部に収納しやすくなる。また、ポケット口、ひいてはポケット口に配置されたストラップ保持部材が、作業用物品の動きに合わせて動きやすいため、着用者が、作業中に、ストラップに引きつられ感を覚えにくくなる。
【００６５】
本開示の作業用衣服において、ストラップ保持部材が、ポケット口及びポケット底を備え、外面及び内面を有するポケット部に配置されている場合には、ストラップ保持部材は、ポケット部の外面又は内面に配置されることができ、そして外面に配置されることが好ましい。そうすることにより、ストラップ保持部材にストラップを保持させたまま、着用者が作業用物品を使用しやすくなる。
【００６６】
なお、本開示の作業用衣服において、ポケット部は、ポケット口及びポケット底を備えるものであれば、特に制限されず、ポケット部として、例えば、貼付け型のポケット部、切込み型のポケット部等が挙げられる。
【００６７】
本開示の作業用衣服は、ストラップ保持部材よりも低い位置に配置された、作業用物品を収納することができる収納用ポケット部をさらに備えることが好ましい。また、収納用ポケット部は、収納用ポケット口及び収納用ポケット底を備え、収納用ポケット口が、ストラップ保持部材よりも低い位置に配置されることが好ましい。そうすることにより、着用者の作業中に、収納用ポケット部に収納された作業用物品が、作業対象生物及び／又は作業対象物に触れにくくなる。例えば、作業用衣服が看護業従事者用衣服である場合には、看護者が患者の看護中に、収納用ポケット部に収納された作業用物品が患者に触れにくくなる。
【００６８】
本開示の作業用衣服としては、作業用物品を携行して作業を行うための衣服であれば特に制限されず、例えば、サービス業従事者用、例えば、医療業従事者用、看護業従事者用、介護業従事者用、エステ業従事者用、清掃業従事者用、飲食業従事者用、小売業従事者用、理容師業従事者用、又は美容師業従事者用であることができる。本開示の作業用衣服は、医療業従事者用、看護業従事者用、介護業従事者用、エステ業従事者用、理容師業従事者用、又は美容師業従事者用であることが好ましい。作業対象生物が、人、ペット、家畜等の動物であることから、感染症等を予防するための作業用物品を保持することが好ましい一方で、当該動物に作業用物品が接触することを避けることが重要であるためである。
【００６９】
本開示の作業用衣服のストラップ保持部材が保持すべき作業用物品としては、ストラップを有するものであれば、特に制限されず、例えば、消毒液ボトルホルダー、カードホルダー、ストラップを備える電子機器用ホルダー、ストラップを有する電子機器等が挙げられる。なお、上記電子機器としては、携帯、ＰＨＳ、スマートフォン、タブレット、カメラ、ビデオ等が挙げられる。
【００７０】
なお、上記ストラップとしては、ネックストラップ、ショルダーストラップ等が挙げられる。ネックストラップは、着用者の首にかけるストラップであり、着用者の首にかけたストラップの一方のストラップ部分及び他方のストラップ部分の両方が着用者の腹側に回して使用するストラップを意味する。ショルダーストラップは、着用者の肩にかけるストラップであり、着用者の肩にかけたストラップの一方のストラップ部分を着用者の腹側を回し、他方のストラップ部分を着用者の背側に回して使用するストラップを意味する。
【００７１】
本開示の作業用衣服が対象とする作業用物品は、特に制限されるものではないが、ショルダーストラップを有する作業用物品であることが好ましい。ショルダーストラップを有する作業用物品は、ネックストラップを有する作業用物品よりも重い傾向があり、ショルダーストラップは、ネックストラップよりも太い傾向があり、本開示の作業用衣服の効果が高いからである。
【符号の説明】
【００７２】
１    作業用衣服
３    本体部
５    袖ぐり部
７    袖部
１３    袖下部
１５    右袖下部
１７    左袖下部
１９    腹部
２１    背部
３１    右胸ポケット部
３３    右ウエストポケット部
３５    ポケット口
３７    袋布部
３９    ポケット底
４１    内面
４３    外面
４５    右腰ポケット部
４７    左胸ポケット部
４９    左腰ポケット部
５１    作業用物品
５３    物品本体部
５５    ショルダーストラップ
５６    底
５７    ポンプ部
６１    ストラップ保持部材
６３    基部
６５    保持部
６７    近位側連結部
６９    遠位側連結部
Ｌ    丈方向
Ｈ    水平方向
【図１】
2019105016.tif 000003
【図２】
2019105016.tif 000004
【図３】
2019105016.tif 000005
【図４】
2019105016.tif 000006
【図５】
2019105016.tif 000007
【図６】
2019105016.tif 000008
【図７】
2019105016.tif 000009
【図８】
2019105016.tif 000010